(57)【特許請求の範囲】
【請求項１】
弾発部材と、
規定の移動方向に移動し、前記弾発部材を収納する弾発部材収納部を有すると共に前記弾発部材収納部の移動方向に沿った両端に前記弾発部材の両端を当接する当接部を設けた移動体と、
前記移動体を移動自在に組み込むと共に組み込んだ移動体の両当接部近傍位置において前記弾発部材の両端を当接する係止部を設けた固定側部材と、
前記移動体の移動によって電気的出力を変化する電気的機能部とを具備し、
前記弾発部材収納部に前記弾発部材を収納して弾発部材の両端を固定側部材の両係止部に係止させることで移動体を移動した位置から復帰位置へ自動復帰させる自動復帰型電子部品において、
前記固定側部材に移動体を組み込んだ状態で移動体の前記弾発部材収納部に外部から前記弾発部材を挿入する弾発部材挿入口を設けたことを特徴とする自動復帰型電子部品。
【請求項２】
前記固定側部材は前記移動体の上部を覆うケースであり、
前記弾発部材挿入口は前記移動体の前記ケースに覆われる反対側の面又は移動体の移動方向に対して左右両側の面の内の何れか一つの面に設けられていることを特徴とする請求項１に記載の自動復帰型電子部品。
【請求項３】
前記移動体の移動方向に対して左右両側の面の内の何れか一方の側面に、前記固定側部材の係止部を挿入して前記弾発部材の両端に係止させる係止部挿入部を設けたことを特徴とする請求項１又は２に記載の自動復帰型電子部品。
【請求項４】
請求項１に記載の自動復帰型電子部品の製造方法であって、
弾発部材と、
規定の移動方向に移動し、前記弾発部材を収納する弾発部材収納部を有すると共に前記弾発部材収納部の移動方向に沿った両端に前記弾発部材の両端を当接する当接部を設けた移動体と、
前記移動体を移動自在に組み込むと共に組み込んだ移動体の両当接部近傍位置において前記弾発部材の両端を当接する係止部を設けた固定側部材と、
前記移動体の移動によって電気的出力を変化する電気的機能部とを用意し、
前記固定側部材に移動体を組み込んだ状態で形成される弾発部材挿入口を通して前記弾発部材収納部に前記弾発部材を外部から挿入することで、弾発部材の両端を固定側部材の両係止部に係止させて弾発部材を弾発部材収納部に保持させるとともに、別途前記電気的機能部を組み込むことで完成されることを特徴とする自動復帰型電子部品の組立方法。
【発明の詳細な説明】
【技術分野】
【０００１】
本発明は、操作つまみ等の移動体が移動した位置から所定の復帰位置に自動復帰する自動復帰型電子部品及びその組立方法に関するものである。
【背景技術】
【０００２】
従来、電子部品、例えばスライド式電子部品の中には、その操作つまみを移動することによって電気的出力（例えばスイッチオンオフ状態や抵抗値）を変化すると共に、前記操作つまみの移動を解除することでこの操作つまみが所定の復帰位置（例えば中立位置）に自動復帰して停止する構造の自動復帰型電子部品がある。
【０００３】
この種の自動復帰型電子部品は、例えば特許文献１の図２に示すように、摺動子（６０）を取り付けた摺動型物（５０）に設けたコイルスプリング収納部（５４）内にコイルスプリング（５５）を圧縮して収納し、次にこの摺動型物（５０）の上に下ケース（４０）を被せるように組み込み、さらに下ケース（４０）の下面にフレキシブル回路基板（７０）と取付部材（８０）とを設置して組み立てられる。コイルスプリング収納部（５４）内に収納されたコイルスプリング（５５）の両端は、コイルスプリング収納部（５４）の係止部（５６ｃ，５６ｄ）と、下ケース（４０）に設けた当接部（４９ｃ，４９ｄ）とに当接する。そして摺動型物（５０）をスライド移動すれば、摺動子（６０）がフレキシブル回路基板（７０）上のスイッチパターン（７１）上を摺動し、そのオンオフ出力が変化する。このときコイルスプリング（５５）は一方の端部が一方の当接部（４９ｃ又は４９ｄ）に当接したまま、他方の端部が他方の係止部（５６ｄ又は５６ｃ）に押圧されて圧縮されており、摺動型物（５０）を中立位置に自動復帰する弾発力が付勢されている。従って摺動型物（５０）の移動を解除すると、摺動型物（５０）は元の中立位置に自動的に移動して停止する。
【０００４】
しかしながら上記従来の自動復帰型電子部品においては前述のように、摺動型物（５０）に設けたコイルスプリング収納部（５４）内にコイルスプリング（５５）を収納した上で、この摺動型物（５０）の上に下ケース（４０）を被せるように取り付ける際、コイルスプリング（５５）の端部に下ケース（４０）の当接部（４９ｃ又は４９ｄ）が当接するなどして、圧縮しているコイルスプリング（５５）がコイルスプリング収納部（５４）から飛び出してしまったり、コイルスプリング（５５）の端部が損傷・変形したりして組み込み不良が生じる場合があった。またこの現象を防止するため、コイルスプリング（５５）を収納した摺動型物（５０）を下ケース（４０）に組み込む際、コイルスプリング（５５）の両端を別途用意した特殊な治具によって少し圧縮しておき、この状態で下ケース（４０）に摺動型物（５０）を組み込む方法もある。しかしながらこの方法の場合、特殊な治具が必要になるばかりか、下ケース（４０）への摺動型物（５０）の組込作業が煩雑になってしまう。
【特許文献１】特開２００７−５３０１８号公報
【発明の開示】
【発明が解決しようとする課題】
【０００５】
本発明は上述の点に鑑みてなされたものでありその目的は、コイルバネなどの弾発部材を用いた自動復帰機構を有する電子部品の組み立てを容易且つ確実に行なうことができる自動復帰型電子部品及びその組立方法を提供することにある。
【課題を解決するための手段】
【０００６】
本願請求項１に記載の発明は、弾発部材と、規定の移動方向に移動し、前記弾発部材を収納する弾発部材収納部を有すると共に前記弾発部材収納部の移動方向に沿った両端に前記弾発部材の両端を当接する当接部を設けた移動体と、前記移動体を移動自在に組み込むと共に組み込んだ移動体の両当接部近傍位置において前記弾発部材の両端を当接する係止部を設けた固定側部材と、前記移動体の移動によって電気的出力を変化する電気的機能部とを具備し、前記弾発部材収納部に前記弾発部材を収納して弾発部材の両端を固定側部材の両係止部に係止させることで移動体を移動した位置から復帰位置へ自動復帰させる自動復帰型電子部品において、前記固定側部材に移動体を組み込んだ状態で移動体の前記弾発部材収納部に外部から前記弾発部材を挿入する弾発部材挿入口を設けたことを特徴とする自動復帰型電子部品にある。
【０００７】
本願請求項２に記載の発明は、前記固定側部材は前記移動体の上部を覆うケースであり、前記弾発部材挿入口は前記移動体の前記ケースに覆われる反対側の面又は移動体の移動方向に対して左右両側の面の内の何れか一つの面に設けられていることを特徴とする請求項１に記載の自動復帰型電子部品にある。
【０００８】
本願請求項３に記載の発明は、前記移動体の移動方向に対して左右両側の面の内の何れか一方の側面に、前記固定側部材の係止部を挿入して前記弾発部材の両端に係止させる係止部挿入部を設けたことを特徴とする請求項１又は２に記載の自動復帰型電子部品にある。
【０００９】
本願請求項４に記載の発明は、請求項１に記載の自動復帰型電子部品の製造方法であって、弾発部材と、規定の移動方向に移動し、前記弾発部材を収納する弾発部材収納部を有すると共に前記弾発部材収納部の移動方向に沿った両端に前記弾発部材の両端を当接する当接部を設けた移動体と、前記移動体を移動自在に組み込むと共に組み込んだ移動体の両当接部近傍位置において前記弾発部材の両端を当接する係止部を設けた固定側部材と、前記移動体の移動によって電気的出力を変化する電気的機能部とを用意し、前記固定側部材に移動体を組み込んだ状態で形成される弾発部材挿入口を通して前記弾発部材収納部に前記弾発部材を外部から挿入することで、弾発部材の両端を固定側部材の両係止部に係止させて弾発部材を弾発部材収納部に保持させるとともに、別途前記電気的機能部を組み込むことで完成されることを特徴とする自動復帰型電子部品の組立方法にある。
【発明の効果】
【００１０】
請求項１に記載の発明によれば、固定側部材に移動体を組み込んだ状態で移動体の弾発部材収納部に外部から弾発部材を挿入して収納できるので、弾発部材を収納した際に同時に弾発部材の両端を固定側部材の両係止部に係止させることができる。従って従来のように予め弾発部材を収納した移動体を固定側部材に組み込む際に生じる弾発部材の弾発部材収納部からの飛び出しや、組み込み不良の恐れが生じなくなる。即ち弾発部材を用いた自動復帰機構を有する電子部品の組み立てが容易且つ確実に行なえるようになる。
【００１１】
請求項２に記載の発明によれば、ケースの上面に弾発部材挿入口を設ける必要がないので、ケースの上面を他の用途（例えば移動体に設けた操作つまみをケースの上面から突出する等）に制限なく利用することができる。
【００１２】
請求項３に記載の発明によれば、固定側部材の係止部を移動体の側面から挿入するので、自動復帰型電子部品の薄型化が図れる。
【００１３】
請求項４に記載の発明によれば、請求項１に記載の自動復帰型電子部品を容易に製造することができる。
【発明を実施するための最良の形態】
【００１４】
以下、本発明の実施形態を図面を参照して詳細に説明する。
〔第１実施形態〕
図１は本発明の第１実施形態にかかる自動復帰型電子部品１−１を上側から見た分解斜視図、図２は下側から見た分解斜視図、図３は自動復帰型電子部品１−１の断面斜視図（図１のＡ−Ａ線部分の断面斜視図）である。これらの図に示すように自動復帰型電子部品１−１は、固定側部材であるケース１０と、ケース１０内に収納される移動体４０と、移動体４０に取り付けられる電気的機能部である摺動子７０と、移動体４０に設けた弾発部材収納部４９に収納される弾発部材（以下「コイルバネ」という）９０と、ケース１０の下面側に設置される固定側部材である回路基板（以下「フレキシブル回路基板」という）１００と、フレキシブル回路基板１００の下面側に設置される固定側部材である取付板１３０とを具備して構成されている。以下各構成部品について説明する。なお以下の説明において、「上」とはフレキシブル回路基板１００からケース１０を見る方向をいい、「下」とはその逆方向を言うものとする。
【００１５】
ケース１０は、金属板（例えばステンレス板）を下面が開放された略矩形の箱型に形成することでその内部に移動体収納部１１を設けて構成されている。ケース１０の上面中央には長手方向（移動体４０のスライド移動方向Ａ）に向かって長尺な矩形状のつまみ挿通孔１３が設けられている。なお本実施形態ではスライド移動方向Ａは直線方向である。ケース１０の前記スライド移動方向Ａに平行な左右両側面の下端辺には一対ずつ下方向に向かって舌片状に突出する取付部１５が設けられている。取付部１５を設けたケース１０の一方の側面の両取付部１５に隣接する位置（両取付部１５の内側の隣接位置）には、その側面の下端辺から下方に舌片状に突出してその根元近傍部部分を移動体収納部１１側に向けて略直角に折り曲げることでその先端側の部分をケース１０の移動体収納部１１内に位置させた一対の係止部１７が設けられている。
【００１６】
図５は移動体４０を下面側から見た斜視図である。同図及び図１〜図３に示すように、移動体４０は、合成樹脂（例えばＰＯＭ樹脂等）を略矩形状に成形して構成されており、前記ケース１０の移動体収納部１１内にスライド移動方向Ａに移動自在に収納される寸法に形成されている。移動体４０の上面には、上方向に突出する略矩形状の操作部４１が設けられている。移動体４０の下面の半分の面（スライド移動方向Ａに向かう直線で仕切られた半分の面）は、摺動子取付面４３となっており、摺動子取付面４３からは一対の小突起からなる位置決め取付部４５が突出している。
【００１７】
移動体４０の下面の残り半分の面には、略矩形状の開口からなる弾発部材挿入口４７が設けられており、弾発部材挿入口４７の内部の空間は弾発部材収納部４９となっている。弾発部材挿入口４７はスライド移動方向Ａに向かって長尺で、コイルバネ９０を所定寸法圧縮して収納できる寸法に形成されている。次に移動体４０のスライド移動方向Ａに平行な一方の側面（前記ケース１０の係止部１７に対向する側の側面）には、スライド移動方向Ａに向かって並ぶ一対の係止部挿入部５１が設けられている。係止部挿入部５１は移動体４０の側面から前記弾発部材収納部４９に至っており、また係止部挿入部５１は移動体４０のスライド移動方向Ａに垂直な両側面にも開口している。つまり弾発部材挿入口４７と一対の係止部挿入部５１は何れも内部の弾発部材収納部４９に連通している。弾発部材収納部４９の対向する一対の端面（スライド移動方向Ａに垂直な対向面）は、下記するコイルバネ９０の両端面を弾接する当接部５３となっている。なお両当接部５３間の間隔と、前記ケース１０の両係止部１７の対向する内側辺間の間隔とは略同一となっている。
【００１８】
摺動子７０は弾性金属板を略矩形状に形成してなる基部７１と、基部７１の１側辺から突出して基部７１の下面側に折り曲げてなる一対の摺動冊子７３とを具備して構成されている。基部７１の前記移動体４０の一対の位置決め取付部４５に対向する位置にはこれら位置決め取付部４５を挿入する一対の位置決め取付孔７２が設けられている。摺動冊子７３の先端近傍には下方向に凸となるように屈曲するパターン当接部７５が設けられている。
【００１９】
フレキシブル回路基板１００は可撓性を有する合成樹脂フイルム〔この実施形態ではポリエチレンテレフタレート（ＰＥＴ）フイルムであるが、他の各種合成樹脂フイルムでもよい〕１０１上に電気的機能部である摺接パターン１０３を形成して構成されている。合成樹脂フイルム１０１上には摺接パターン１０３の他にも図示しない回路パターンが設けられており、これら摺接パターン１０３やその他の回路パターンは、導電ペーストを印刷することによって形成されているが、銅箔をエッチングしたり、蒸着等を用いて形成しても良い。この実施形態の摺接パターン１０３はスライド移動方向Ａに向かう２本の摺接パターンからなるスイッチパターン又は抵抗体パターンである。フレキシブル回路基板１００のスライド移動方向Ａに平行な左右両側辺の前記ケース１０の各取付部１５に対向する位置にはこれら取付部１５を挿通するための凹状に切り欠いてなる取付部挿通部１０５が設けられ、またフレキシブル回路基板１００の外周には帯状の引出部１０７が取り付けられ、この引出部１０７にフレキシブル回路基板１００から図示しない回路パターンが引き出されている。
【００２０】
取付板１３０は金属板（例えばステンレス板）製である。取付板１３０の外形形状は前記フレキシブル回路基板１００と略同一であり、フレキシブル回路基板１００に設けた４つの取付部挿通部１０５に対向する位置に同一形状の挿通部１３１を設けている。
【００２１】
次に自動復帰型電子部品１−１の組立方法を説明する。まず予め移動体４０の摺動子取付面４３に摺動子７０の基部７１を設置し、その際移動体４０の一対の位置決め取付部４５をそれぞれ摺動子７０の位置決め取付孔７２に挿入し、一方の（直径の大きい方の）位置決め取付部４５を熱かしめすることで移動体４０に摺動子７０を取り付ける。
【００２２】
そして摺動子７０を取り付けた移動体４０を、ケース１０の移動体収納部１１内に収納する。この収納は、移動体４０の両係止部挿入部５１を設けた側の辺をケース１０側に近づけるように傾けた状態で移動体４０をケース１０の移動体収納部１１内に挿入してゆき、移動体４０の係止部挿入部５１にケース１０の両係止部１７を挿入しながら、徐々に移動体４０の両係止部挿入部５１を設けた反対側の辺を持ち上げてゆき、最終的に移動体４０全体を移動体収納部１１内に挿入する。このときの状態を図６に示す。同図に示すように、ケース１０に移動体４０を組み込んだ状態で弾発部材挿入口４７は下面側に露出している。そしてケース１０に対して移動体４０を中立位置（即ち移動体４０の両当接部５３と、ケース１０の両係止部１７の対向する内側辺とを略一致させた状態）に位置させ、コイルバネ９０を所定寸法圧縮した状態で外部（下方）から弾発部材挿入口４７を通して移動体４０の弾発部材収納部４９に挿入・収納し、図７に示す状態とする。これによってコイルバネ９０の両端がケース１０の両係止部１７と移動体４０の両当接部５３に係止された状態で、コイルバネ９０は弾発部材収納部４９内に保持される。
【００２３】
即ちこの実施形態によれば、ケース１０に移動体４０を組み込んだ状態（ケース１０に組み込んだ移動体４０を取り外すこともできる仮組み込み状態）で移動体４０の弾発部材収納部４９に外部からコイルバネ９０を挿入して収納できるので、コイルバネ９０を収納した際に同時にコイルバネ９０の両端をケース１０の両係止部１７に係止させることができる。従って従来のように予めコイルバネを収納した移動体をケースに組み込む際に生じるコイルバネの弾発部材収納部からの飛び出しや、組み込み不良の恐れが生じなくなる。即ちコイルバネ９０を用いた自動復帰機構を有する自動復帰型電子部品１−１の組み立てが容易且つ確実に行なえるようになる。
【００２４】
そして前記ケース１０の下面側にフレキシブル回路基板１００と取付板１３０とを設置し、その際ケース１０の各取付部１５をフレキシブル回路基板１００の各取付部挿通部１０５と取付板１３０の各挿通部１３１に挿入し、各取付部１５の先端を取付板１３０の下面に折り曲げて各部材を一体化する。これによって自動復帰型電子部品１−１が完成する。
【００２５】
このとき図３に示すようにコイルバネ９０は弾発部材収納部４９内に収納保持され、コイルバネ９０の両端はケース１０の両係止部１７（対向する両内側辺）と移動体４０の両当接部５３に係止されている。そして移動体４０の操作部４１を操作することで移動体４０をスライド移動方向Ａにスライド移動すれば、摺動子７０の一対のパターン当接部７５が摺接パターン１０３上を摺動し、その電気的出力を変化する。移動体４０を中立位置からスライド移動した際、図４に示すように、コイルバネ９０の一方の端部（図４の左側の端部）はケース１０の一方の係止部１７に係止されたまま、他方の端部は移動体４０の他方の当接部５３によって押圧されて他方の係止部１７から離れてゆき、コイルバネ９０は圧縮される。これによって移動体４０には元の復帰位置（中立位置）への自動復帰力が生じる。従って移動体４０の移動を解除すれば、移動体４０は元の中立位置に自動復帰する。
【００２６】
以上説明したように自動復帰型電子部品１−１は、コイルバネ９０と、規定のスライド移動方向Ａに移動し、コイルバネ９０を収納する弾発部材収納部４９を有すると共に弾発部材収納部４９のスライド移動方向Ａに沿った両端にコイルバネ９０の両端を当接する当接部５３を設けた移動体４０と、移動体４０をスライド移動自在に組み込むと共に組み込んだ移動体４０の両当接部５３近傍位置においてコイルバネ９０の両端を当接する係止部１７を設けたケース１０と、移動体４０のスライド移動によって電気的出力を変化する摺動子７０及び摺接パターン１０３からなる電気的機能部とを具備しており、弾発部材収納部４９にコイルバネ９０を収納してコイルバネ９０の両端をケース１０の両係止部１７に係止させることで移動体４０を移動した位置から復帰位置へ自動復帰させる構成となっている。そしてケース１０に移動体４０を組み込んだ状態で移動体４０の弾発部材収納部４９に外部からコイルバネ９０を挿入する弾発部材挿入口４７を設けることで、前述のようにコイルバネ９０を弾発部材収納部４９に収納した際に同時にコイルバネ９０の両端をケース１０の両係止部１７に係止させることができ、従ってコイルバネ９０の弾発部材収納部４９からの飛び出しや、組み込み不良の恐れが生じなくなり、自動復帰型電子部品１−１の組み立てが容易且つ確実に行なえるようになる。またこの自動復帰型電子部品１−１の場合、弾発部材挿入口４７を移動体４０のケース１０に覆われる反対側の面に設けたので、ケース１０の上面を、移動体４０の操作部４１をケース１０の上面から突出する等、他の用途に有効に利用でき、好適である。
【００２７】
またこの自動復帰型電子部品１−１においては、移動体４０のスライド移動方向Ａに対して左右両側の面の内の何れか一方の側面に、ケース１０の係止部１７を挿入してコイルバネ９０の両端に係止させる係止部挿入部５１を設けているので、ケース１０の係止部１７を移動体４０の側面から挿入でき、自動復帰型電子部品１−１の薄型化が図れる。
【００２８】
〔第２実施形態〕
図８は本発明の第２実施形態にかかる自動復帰型電子部品１−２を上側から見た分解斜視図、図９は下側から見た分解斜視図である。これらの図に示す自動復帰型電子部品１−２において、前記図１〜図７に示す実施形態にかかる自動復帰型電子部品１−１と同一又は相当部分には同一符号を付す。なお以下で説明する事項以外の事項については、前記図１〜図７に示す実施形態と同じである。これらの図に示すように自動復帰型電子部品１−２においても、固定側部材であるケース１０と、ケース１０内に収納される移動体４０と、移動体４０に取り付けられる電気的機能部である摺動子７０と、移動体４０に設けた弾発部材収納部４９に収納される弾発部材（以下「コイルバネ」という）９０と、ケース１０の下面側に設置される固定側部材である回路基板（以下「フレキシブル回路基板」という）１００と、フレキシブル回路基板１００の下面側に設置される固定側部材である取付板１３０とを具備して構成されている。
【００２９】
この実施形態において前記実施形態と相違する点は、ケース１０と移動体４０の形状のみである。即ちこの実施形態にかかるケース１０において前記第１実施形態にかかるケース１０と相違する点は、一対の係止部１７を設けた側面の両係止部１７の間の部分の側面を切り欠いて上面からの高さ寸法を短くしてその下側部分の空間を第１弾発部材挿入口１９とした点のみである。
【００３０】
またこの実施形態にかかる移動体４０において前記第１実施形態にかかる移動体４０と相違する点は、第１実施形態で設けていた移動体４０下面の弾発部材挿入口４７をなくし、その代りに移動体４０のスライド移動方向Ａに平行な一方の側面（前記ケース１０の係止部１７に対向する側の側面）に第２弾発部材挿入口４７−２を設けた点のみである（なお移動体４０下面の弾発部材挿入口４７はそのまま設けておいても良い）。第２弾発部材挿入口４７−２はその内部の弾発部材収納部４９に連通している。なお弾発部材収納部４９の両端には第１実施形態と同様に当接部５３が設けられている。また弾発部材挿入口４７−２はその両側に設けられている一対の係止部挿入部５１と連通し、一体のスリット状の穴となっている。
【００３１】
そして自動復帰型電子部品１−２を組み立てるには、第１実施形態と同様にまず予め移動体４０に摺動子７０を取り付ける。次に第１実施形態と同様に摺動子７０を取り付けた移動体４０を、ケース１０の移動体収納部１１内に収納する。このときの状態を図１０に示す。同図に示すように、ケース１０に移動体４０を組み込んだ状態（仮組立状態）で第１弾発部材挿入口１９の位置と第２弾発部材挿入口４７−２の位置とが一致し、１つの弾発部材挿入口５０が形成される。これによって弾発部材挿入口５０は、移動体４０のスライド移動方向Ａに対して左右両側の面の内の何れか一つの面に設けられる。
【００３２】
そしてケース１０に対して移動体４０を中立位置に位置させ、所定寸法圧縮した状態のコイルバネ９０を外部から弾発部材挿入口５０を通して移動体４０の弾発部材収納部４９内に挿入・収納する。これによってコイルバネ９０の両端がケース１０の両係止部１７と移動体４０の両当接部５３に係止された状態で、コイルバネ９０は弾発部材収納部４９に保持される。コイルバネ９０を弾発部材挿入口５０に挿入する際は、係止部１７の厚み寸法が係止部挿入部５１内部の上下寸法よりも小さいので、その寸法の違い分だけ移動体４０を係止部１７に対して下降することで第２弾発部材挿入口４７−２の位置を下げ、これによって弾発部材挿入口５０の高さ寸法を大きくした状態でコイルバネ９０を挿入し、挿入後は移動体４０を正規の位置まで上昇して第２弾発部材挿入口４７−２の位置を上げ、これによって弾発部材挿入口５０の高さ寸法を小さくしてコイルバネ９０の外部への抜けを防止する。
【００３３】
そしてこの実施形態の場合も、ケース１０に移動体４０を組み込んだ状態で移動体４０の弾発部材収納部４９に外部からコイルバネ９０を挿入して収納できるので、コイルバネ９０を収納した際に同時にコイルバネ９０の両端をケース１０の両係止部１７に係止させることができる。従って従来のように予めコイルバネを収納した移動体をケースに組み込む際に生じるコイルバネの弾発部材収納部からの飛び出しや、組み込み不良の恐れが生じなくなる。即ちコイルバネ９０を用いた自動復帰機構を有する自動復帰型電子部品１−２の組み立てが容易且つ確実に行なえるようになる。
【００３４】
そして前記ケース１０の下面側に第１実施形態の場合と同様にしてフレキシブル回路基板１００と取付板１３０とを取り付けて各部材を一体化すれば、自動復帰型電子部品１−２が完成する。この自動復帰型電子部品１−２の動作は、第１実施形態の動作と同一なので、その説明は省略する。
【００３５】
以上説明したように自動復帰型電子部品１−２は、コイルバネ９０と、規定のスライド移動方向Ａに移動し、コイルバネ９０を収納する弾発部材収納部４９を有すると共に弾発部材収納部４９のスライド移動方向Ａに沿った両端にコイルバネ９０の両端を当接する当接部５３を設けた移動体４０と、移動体４０をスライド移動自在に組み込むと共に組み込んだ移動体４０の両当接部５３近傍位置においてコイルバネ９０の両端を当接する係止部１７を設けたケース１０と、移動体４０のスライド移動によって電気的出力を変化する摺動子７０及び摺接パターン１０３からなる電気的機能部とを具備しており、弾発部材収納部４９にコイルバネ９０を収納してコイルバネ９０の両端をケース１０の両係止部１７に係止させることで移動体４０を移動した位置から復帰位置へ自動復帰させる構成となっている。そしてケース１０に移動体４０を組み込んだ状態で移動体４０の弾発部材収納部４９に外部からコイルバネ９０を挿入する弾発部材挿入口５０（第１，第２弾発部材挿入口１９，４７−２）を設けることで、前述のようにコイルバネ９０を弾発部材収納部４９に収納した際に同時にコイルバネ９０の両端をケース１０の両係止部１７（及び当接部５３）に係止させることができ、従ってコイルバネ９０の弾発部材収納部４９からの飛び出しや、組み込み不良の恐れが生じなくなり、自動復帰型電子部品１−２の組み立てが容易且つ確実に行なえるようになる。またこの自動復帰型電子部品１−２の場合、弾発部材挿入口５０を、移動体４０のスライド移動方向Ａに対して左右両側の面の内の何れか一つの面に設けたので、第１実施形態の場合と同様に、ケース１０の上面を他の用途（例えば移動体４０に設けた操作部４１をケース１０の上面から突出する等）に有効に利用でき、好適である。
【００３６】
またこの自動復帰型電子部品１−２においても、移動体４０のスライド移動方向Ａに対して左右両側の面の内の何れか一方の側面に、ケース１０の係止部１７を挿入してコイルバネ９０の両端に係止させる係止部挿入部５１を設けているので、自動復帰型電子部品１−２の薄型化が図れる。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態ではケース１０と取付板１３０を金属板で構成したが、合成樹脂（例えばＡＢＳ樹脂やポリカーボネート樹脂等）等の他の各種材料によって構成しても良い。上記実施形態では弾発部材としてコイルバネを用いたが、例えば柱状（円柱状又は多角柱状）や筒状のゴム状弾性材からなる弾発部材等、他の各種弾発部材を用いても良い。また移動体の移動方向は直線方向だけでなく、曲線方向であっても円弧方向であってもそれら以外の方向であっても良い。前記各実施形態では電気的機能部として摺動子７０と摺接パターン１０３とを用いたが、移動体の移動によって電気的出力を変化する電気的機能部であれば、他のどのような構成の電気的機能部であっても良い。また弾発部材挿入口４７，５０を設ける位置は、場合によってはケース１０の上面であってもよい。また弾発部材挿入口は第１実施形態のように移動体のみに設けることで構成することもできるし、第２実施形態のように移動体及びケースの両者に設けることで構成することもできる。要はケース等の固定側部材に移動体を組み込んだ状態で移動体の弾発部材収納部に外部からコイルバネ等の弾発部材を挿入できる弾発部材挿入口であればどのような構造の弾発部材挿入口であってもよい。
【図面の簡単な説明】
【００３８】
【図１】自動復帰型電子部品１−１を上側から見た分解斜視図である。
【図２】自動復帰型電子部品１−１を下側から見た分解斜視図である。
【図３】自動復帰型電子部品１−１の断面斜視図である。
【図４】自動復帰型電子部品１−１の動作説明図である。
【図５】移動体４０を下面側から見た斜視図である。
【図６】自動復帰型電子部品１−１の組立方法説明図である。
【図７】自動復帰型電子部品１−１の組立方法説明図である。
【図８】自動復帰型電子部品１−２を上側から見た分解斜視図である。
【図９】自動復帰型電子部品１−２を下側から見た分解斜視図である。
【図１０】自動復帰型電子部品１−２の組立方法説明図である。
【符号の説明】
【００３９】
１−１  自動復帰型電子部品
１０  ケース（固定側部材）
１７  係止部
４０  移動体
４７  弾発部材挿入口
４９  弾発部材収納部
５１  係止部挿入部
５３  当接部
７０  摺動子（電気的機能部）
９０  コイルバネ（弾発部材）
１００  フレキシブル回路基板（回路基板）
１０３  摺接パターン（電気的機能部）
１３０  取付板
１−２  自動復帰型電子部品
１９  第１弾発部材挿入口
４７−２  第２弾発部材挿入口
５０  弾発部材挿入口
【図１】
0004813455.tif 000002
【図２】
0004813455.tif 000003
【図３】
0004813455.tif 000004
【図４】
0004813455.tif 000005
【図５】
0004813455.tif 000006
【図６】
0004813455.tif 000007
【図７】
0004813455.tif 000008
【図８】
0004813455.tif 000009
【図９】
0004813455.tif 000010
【図１０】
0004813455.tif 000011